(57)【要約】      （修正有）【課題】機器本体内で発生した熱により人体に低温やけどが発生することを良好に防ぎ、かつ良好に機器本体内の熱を放熱させることができる人体装着型電子機器を提供する。【解決手段】人体である腕Ｒに対して着脱可能に装着される機器本体１と、腕Ｒに対面する機器本体１の本体ケース４の裏蓋６の外面に対して閉じて、裏蓋６の外面を覆っている閉状態と、裏蓋６の外面に対して開いた開状態と、に回転して移動可能に設けられたカバー部材３と、を有し、カバー部材３は樹脂材料によって形成され、閉状態で機器本体１の裏蓋６の外面とカバー部材３の裏蓋６に対向する側の面との間に空気層が形成され、この空気層が断熱部１１を形成して、これにより機器本体１内で発生した熱が腕Ｒに伝わることを良好に抑制する。また、開状態ではカバー部材３を開いて機器本体１の裏蓋６の外面を外部に開放させることができるので、機器本体１内の熱を速やかに外部に放熱させる。【選択図】図７
2014238335.tif 000002
【特許請求の範囲】
【請求項１】
人体に対して着脱可能に装着される機器本体と、
前記機器本体に取り付けられたカバー部材と、
を備え、
前記機器本体は内部に電子部品が設けられた筺体を有し、
前記筺体の外面は、前記機器本体が人体に装着されたときに人体に対向する側となる裏面を有し、
前記カバー部材は、樹脂部材により形成され、一端が前記筺体に支持されて前記裏面に対して回転して、前記裏面に対して閉じて該裏面を覆っている閉状態と、前記裏面対して開いて該裏面を外部に露出している開状態と、に移動可能に設けられ、
前記閉状態で前記カバー部材が前記裏面を覆っているときに、前記裏面と前記カバー部材の前記裏面に対向する側の面との間に空気層が形成され、
前記カバー部材が前記開状態に設定されているとき、前記電子機器の発熱による熱が前記裏面から放熱されることを特徴とする人体装着型電子機器。
【請求項２】
請求項１に記載の人体装着型電子機器において、
前記機器本体は、前記裏面に、外部機器と電気的に接続される接続端子部を有し、
前記カバー部材は、前記閉状態において前記接続端子部を覆い、前記開状態において前記接続端子部を露出することを特徴とする人体装着型電子機器。
【請求項３】
請求項１または請求項２に記載の人体装着型電子機器において、
前記カバー部材は、前記閉状態で前記裏面を覆っているときに前記裏面に対向する側となる面に設けられた凹部状の断熱空間部を有し、
前記空気層は、前記閉状態で前記カバー部材が前記裏面を覆っているときに、前記断熱空間部内に形成されることを特徴とする人体装着型電子機器。
【請求項４】
請求項１または請求項２に記載の人体装着型電子機器において、
前記カバー部材は、前記閉状態で前記カバー部材が前記裏面を覆っているときに前記裏面に対向する側となる面に突出して設けられた突起部を有し、
前記空気層は、前記閉状態で前記カバー部材が前記裏面を覆っているときに、前記突起部を介して対向する前記裏面と前記カバー部材の前記裏面に対向する側の面との間の空間内に形成されることを特徴とする人体装着型電子機器。
【請求項５】
請求項１乃至請求項４のいずれかに記載の人体装着型電子機器において、
前記カバー部材を形成している軟質の合成樹脂は、ウレタン樹脂またはシリコーン樹脂であることを特徴とする人体装着型電子機器。
【請求項６】
請求項１乃至請求項５のいずれかに記載の人体装着型電子機器において、
前記カバー部材は、前記閉状態で、前記機器本体が人体に装着されるときに人体に対向する側となる対向面が、当該機器本体を装着する人体の装着面の形状に対応した湾曲形状をなしていることを特徴とする人体装着型電子機器。
【請求項７】
請求項６に記載の人体装着型電子機器において、
前記裏面の前記閉状態で前記カバー部材で覆われる領域は平坦であり、
前記カバー部材は、前記裏面の一の方向に沿った両端側の厚みが厚く、前記裏面の中間部に向うに従って、前記一の方向に沿って徐々に厚みが薄くなる形状に形成されていることを特徴とする人体装着型電子機器。
【請求項８】
請求項１乃至請求項７のいずれかに記載の人体装着型電子機器において、
前記カバー部材を前記閉状態に位置規制する位置規制部を備えていることを特徴とする人体装着型電子機器。
【請求項９】
請求項１乃至請求項８のいずれかに記載の人体装着型電子機器において、
前記カバー部材は、前記機器本体の前記筐体に軸部材を介して回転可能に取り付けられていることを特徴とする人体装着型電子機器。
【請求項１０】
請求項９に記載の人体装着型電子機器において、
前記カバー部材は、２つのカバー片に分割され、該各カバー片は、前記機器本体に前記軸部材を介して回転可能に取り付けられていることを特徴とする人体装着型電子機器。
【請求項１１】
請求項９または請求項１０に記載の人体装着型電子機器において、
前記機器本体を前記人体に着脱自在に装着するバンド部材を備え、
前記バンド部材は、前記軸部材に回転可能に取り付けられていることを特徴とする人体装着型電子機器。
【発明の詳細な説明】
【技術分野】
【０００１】
この発明は、腕時計、脈拍計、歩数計、携帯情報処理端末機などの人体に装着して使用する人体装着型電子機器に関する。
【背景技術】
【０００２】
例えば、腕に装着して使用する腕時計タイプの電子機器においては、特許文献１に記載されているように、機器本体の裏面側に裏蓋カバーを設け、この裏蓋カバーによって機器本体を腕にフィットさせて装着させるように構成されたものが知られている。
【先行技術文献】
【特許文献】
【０００３】
【特許文献１】特開２００２−３２１号公報
【発明の概要】
【発明が解決しようとする課題】
【０００４】
このような腕時計タイプの電子機器では、多機能化および情報処理の高速化に伴って、機器本体内の電子部品が発熱し、これにより機器本体の外面の温度が上昇することがある。このため、このような電子機器を腕に取り付けて使用する場合に、機器本体の温度上昇によって低温やけどが発生する虞がある。
【０００５】
これに対し、上記文献に記載されたような構成の腕時計タイプの電子機器において、機器本体の裏面側に設けられた裏蓋カバーは腕にフィットさせることのみを目的に構成されていて、機器本体の裏面に密着しており、この裏蓋カバーによる断熱や放熱等については何ら考慮されていなかった。このため、機器本体の外面の温度が上昇したときに、これに起因して低温やけどが発生することを防ぐことができるものではなかった。また、この裏蓋カバーが設けられていることで機器本体の裏面からの放熱が阻害されて、機器本体の外面の温度が下がり難いものとなっていた。
【０００６】
この発明が解決しようとする課題は、機器本体内で発生した熱に起因して人体に低温やけどが発生することを良好に防ぎ、かつ良好に機器本体内の熱を放熱させることができる人体装着型電子機器を提供することである。
【課題を解決するための手段】
【０００７】
この発明は、人体に対して着脱可能に装着される機器本体と、前記機器本体に取り付けられたカバー部材と、を備え、前記機器本体は内部に電子部品が設けられた筺体を有し、前記筺体の外面は、前記機器本体が人体に装着されたときに人体に対向する側となる裏面を有し、前記カバー部材は、樹脂部材により形成され、一端が前記筺体に支持されて前記裏面に対して回転して、前記裏面に対して閉じて該裏面を覆っている閉状態と、前記裏面対して開いて該裏面を外部に露出している開状態と、に移動可能に設けられ、前記閉状態で前記カバー部材が前記裏面を覆っているときに、前記裏面と前記カバー部材の前記裏面に対向する側の面との間に空気層が形成され、前記カバー部材が前記開状態に設定されているとき、前記電子機器の発熱による熱が前記裏面から放熱されることを特徴とする人体装着型電子機器である。
【発明の効果】
【０００８】
この発明によれば、人体に着脱可能に装着される機器本体の裏面に対して開閉可能に設けられ、樹脂材料により形成されたカバー部材を有し、カバー部材が機器本体の裏面を覆っている閉状態において、機器本体の裏面とカバー部材との間に空気層が形成されていることにより、この空気層が断熱部を構成して、機器本体内で発生した熱が人体に伝わることを良好に抑制して、人体に低温やけどが発生することを良好に防ぐことができる。また、カバー部材が機器本体の裏面に対して開いている開状態では機器本体の裏面を外部に開放させることができるので、機器本体内の熱を速やかに放熱させることができる。
【図面の簡単な説明】
【０００９】
【図１】この発明を腕装着型の電子機器に適用した第１実施形態を示した正面図である。
【図２】図１に示された腕装着型の電子機器の側面図である。
【図３】図２に示された腕装着型の電子機器を上下反転させて示した斜視図である。
【図４】図２に示された腕装着型の電子機器において、カバー部材を回転させて開いて機器本体の裏蓋の外面を露出させた状態で、クレードルと電気的に接続する状態を示した側面図である。
【図５】図２に示された腕装着型の電子機器において、カバー部材を回転させて開いて機器本体の裏面の外面を露出させた状態で右下側から斜めに見た斜視図である。
【図６】図４に示された腕装着型の電子機器を上下反転させて左下側から斜めに見た斜視図である。
【図７】図１に示された腕装着型の電子機器のＡ−Ａ矢視における要部の拡大断面図である。
【図８】図２に示された腕装着型の電子機器のＢ−Ｂ矢視における要部の拡大断面図である。
【図９】図３に示された腕装着型の電子機器におけるカバー部材を上下反転させて示した拡大斜視図である。
【図１０】図８に示された腕装着型の電子機器における押え板を示した拡大斜視図である。
【図１１】この発明を腕装着型の電子機器に適用した第２実施形態を示した側面図である。
【図１２】図１１に示された腕装着型の電子機器を上下反転させて示した斜視図である。
【図１３】図１１に示された腕装着型の電子機器において、カバー部材の２つのカバー片をそれぞれ回転させて開いて機器本体の裏蓋の外面を露出させた状態で、クレードルと電気的に接続する状態を示した側面図である。
【図１４】図１１に示された腕装着型の電子機器において、カバー部材の２つのカバー片をそれぞれ回転させて開いて機器本体の裏面の外面を露出させた状態を示した要部の拡大斜視図である。
【図１５】図１４に示された２つのカバー片の各先端部に設けられた位置規制部を示したＡ部の拡大斜視図である。
【図１６】図１４に示された２つのカバー片のうちの１つカバー片を示した拡大斜視図である。
【図１７】図１２に示された腕装着型の電子機器のＣ−Ｃ矢視において、上下反転させた状態を示した要部の拡大断面図である。
【図１８】図１１に示された腕装着型の電子機器のＤ−Ｄ矢視における要部の拡大断面図である。
【図１９】この発明の腕装着型の電子機器におけるカバー部材の断熱部の変形例を示し、（ａ）はその要部を示した拡大断面図、（ｂ）はそのカバー部材の要部を示した拡大斜視図である。
【図２０】この発明の腕装着型の電子機器におけるカバー部材の取り付け機構の変形例を示し、（ａ）は第１実施形態に対する変形例を示した側面図、（ｂ）は第２実施形態に対する変形例を示した側面図である。
【発明を実施するための形態】
【００１０】
以下においては、本発明に係わる人体装着型電子機器を人体の腕に装着する腕装着型の電子機器に適用した場合について説明し、この腕装着型の電子機器が腕時計タイプの電子機器である場合について説明するが、本発明はこの腕時計タイプの電子機器に限るものではなく、例えば脈拍計、血圧計、歩数計などの種々の電子機器にも同様に適用することができる。
【００１１】
（第１実施形態）
以下、図１〜図１０を参照して、この発明を腕装着型の電子機器に適用した第１実施形態について説明する。
この腕装着型の電子機器は、腕時計タイプの電子機器であって、図１および図２に示すように、機器本体１と、この機器本体１を腕Ｒに装着するための一対のバンド部材２と、機器本体１を腕Ｒに装着したときに機器本体１の、腕Ｒの機器本体１が装着される面（以下、装着面とも記す）に対向する側となる、機器本体１の裏面を開閉可能に覆うカバー部材３とを備えている。
【００１２】
機器本体１は、図１および図２に示すように、本体ケース（筐体）４を備えている。この本体ケース４は、例えば長方形のほぼ箱状に形成されており、この本体ケース４の内部には、機器モジュール（図示せず）が設けられている。この機器モジュールは、入力表示部などの情報処理に必要な各種の電子部品を備えている。ここで、腕Ｒはこの腕装着型の電子機器を装着した人体の腕の断面形状の概略を示している。
【００１３】
また、この本体ケース４の外面における機器本体１を腕Ｒに装着したときに腕Ｒに対向する面を裏面として、この裏面における腕Ｒの延在方向に直交する方向に沿った両端側には、図２〜図７に示すように、一対のバンド取付部５が設けられている。この各バンド取付部５は、図８に示すように、本体ケース４の裏面側に向けて突出する一対の突起部５ａを有している。これら一対の突起部５ａは、本体ケース４の裏面における端部に所定間隔離れて設けられている。これら一対の突起部５ａには、ピン挿入孔５ｂが同一軸上に設けられている。
【００１４】
また、この本体ケース４の裏面には、図２〜図７に示すように、腕Ｒに対面する裏蓋６が設けられている。この裏蓋６には、例えば、図５および図６に示すように、コネクタ７を裏蓋６の裏面側に露呈させる開口部６ａが設けられている。このコネクタ７は、本体ケース４内の機器モジュールと電気的に接続されている。
【００１５】
また、このコネクタ７は、図４に示すように、クレードル８の上面に設けられた接続部９に着脱可能に接続されるように構成されている。これにより、機器本体１とクレードル８とは、コネクタ７と接続部９とが電気的に接続された際に、例えば、その両者の間でデータの授受が行われたり、機器本体１の充電などが行われたり、するように構成されている。
【００１６】
一方、一対のバンド部材２は、ウレタン樹脂などの軟質の合成樹脂からなり、図２〜図７に示すように、本体ケース４の裏面に設けられた一対のバンド取付部５に、各連結ピン１０によって上下方向に回転可能に取り付けられている。すなわち、この一対のバンド部材２のバンド取付部側の各端部には、図８に示すように、一対のバンド突起部２ａが設けられている。
【００１７】
これら一対のバンド突起部２ａは、図８に示すように、バンド取付部５の一対の突起部５ａの外部両側に配置されるように、バンド部材２の端部に突出して形成されている。また、これら一対のバンド突起部２ａのそれぞれには、ピン挿入孔２ｂが、一対の突起部５ａの各ピン挿入孔５ｂに対応して設けられている。
【００１８】
これにより、バンド部材２は、図７および図８に示すように、一対のバンド突起部２ａがバンド取付部５の一対の突起部５ａの外部両側に配置された際に、一対のバンド突起部２ａの各ピン挿入孔２ｂが、バンド取付部５の一対の突起部５ａに設けられた各ピン挿入孔５ｂに対応するように構成されている。
【００１９】
また、この各バンド部材２は、図７および図８に示すように、一対のバンド突起部２ａの各ピン挿入孔２ｂがバンド取付部５の一対の突起部５ａに設けられた各ピン挿入孔５ｂに対応した状態で、一対のバンド突起部２ａの各ピン挿入孔２ｂおよびバンド取付部５の各ピン挿入孔５ｂに、連結ピン１０が連続して挿入される。これにより、各バンド部材２は、本体ケース４のバンド取付部５に上下方向に回転可能に取り付けられるように構成されている。
【００２０】
カバー部材３は、図２〜図７、図９に示すように、裏蓋６の外面のほぼ全体を覆う大きさを有し、ほぼ平板状に形成されている。このカバー部材３には、裏蓋６に対向する側の面に断熱部１１が設けられている。このカバー部材３は、ウレタン樹脂またはシリコーン樹脂などの軟質の合成樹脂で形成されている。なお、バンド部材２がウレタン樹脂で形成されている場合には、カバー部材３も、同じウレタン樹脂で形成されていることが望ましい。
【００２１】
この場合、カバー部材３は、図２〜図７、図９に示すように、裏蓋６の外面のカバー部材３で覆われる面は平坦であり、本体ケース４の両側に位置する一対のバンド取付部５に対応する側の両端部の厚みが厚く、裏蓋６の中間部に対応する個所に向けて、腕Ｒの延在方向に直交する方向に沿って徐々に厚みが薄く、なり、裏蓋６の外面に対向する側の面の断熱部１１を除く部分が平坦で、腕Ｒの装着面に対向する側の面が湾曲した形状をなすように形成されている。ここで、カバー部材３は、腕Ｒと本体ケース４との間に配置されて裏蓋６の外面を覆うように配置された際に、腕Ｒの装着面に対向する側の面（以下、対向面とも記す）が腕Ｒの装着面の曲面形状に概ね沿った湾曲形状をなすように形成されている。
【００２２】
また、このカバー部材３の断熱部１１は、図７および図９に示すように、カバー部材３の裏蓋６の外面に対向する側の面に設けられた複数の凹部状の断熱空間部である。この断熱空間部内には空気層が存在し、この空気層が熱の伝達を抑制する断熱効果をもたらす。すなわち、ウレタン樹脂の熱伝導率は０．１２〜０．１８Ｗ／ｍ・ｋであり、シリコーン樹脂の熱伝導率は０．１５〜０．１７Ｗ／ｍ・ｋであるのに対し、空気の熱伝導率は０．０２４Ｗ／ｍ・ｋであり、空気の熱伝導率はウレタン樹脂やシリコーン樹脂の熱伝導率のおよそ１／１０である。このため、空気層が存在することで、空気層が存在しないときに比べて、熱の伝達を大きく抑制することができる。これら複数の凹部状の断熱空間部の深さは、カバー部材３の厚みに対応しており、本体ケース４の両側に位置する一対のバンド取付部５側が深く、裏蓋６の中間部に対応する個所に向うに従って次第に浅くなるように形成されている。
【００２３】
さらに、カバー部材３の複数の凹部状の各断熱空間部の両側部には、図９に示すように、断熱空間部内の空気を外部と流通させて、断熱空間部内の熱を外部に放熱するための放熱路１１ａがそれぞれ設けられている。これら放熱路１１ａは、必ずしも断熱空間部の両側部に設けられている必要はなく、片側のみに設けられた構成であっても良い。
【００２４】
また、このカバー部材３は、図２〜図９に示すように、その一端部が機器本体１の一方のバンド取付部５に、バンド部材２と共に連結ピン１０によって上下方向に回転可能に取り付けられている。このカバー部材３は、バンド取付部５側の一端部に一対のカバー突起部３ａが設けられている。
【００２５】
これら一対のカバー突起部３ａは、図８および図９に示すように、バンド部材２の一対のバンド突起部２ａの外部両側に配置されるように構成されている。また、これら一対のカバー突起部３ａには、各ピン挿入孔３ｂが一対のバンド突起部２ａの各ピン挿入孔２ｂにそれぞれ対応して設けられている。
【００２６】
これにより、カバー部材３は、図８に示すように、一対のカバー突起部３ａがバンド部材２における一対のバンド突起部２ａの外部両側に配置されて、一対のカバー突起部３ａの各ピン挿入孔３ｂが、バンド部材２における一対のバンド突起部２ａの各ピン挿入孔２ｂ、およびバンド取付部５における一対の突起部５ａの各ピン挿入孔５ｂと同一軸となるように構成されている。
【００２７】
また、このカバー部材３は、図８に示すように、一対のカバー突起部３ａの各ピン挿入孔３ｂが、バンド部材２における一対のバンド突起部２ａの各ピン挿入孔２ｂと同一軸とされた状態で、カバー突起部３ａの各ピン挿入孔３ｂ、一対のバンド突起部２ａの各ピン挿入孔２ｂ、およびバンド取付部５の各ピン挿入孔５ｂに、連結ピン１０が挿入される。これにより、カバー部材３は、バンド部材２と共に本体ケース４のバンド取付部５に上下方向に回転可能に取り付けられるように構成されている。
【００２８】
この場合、バンド取付部５に位置するカバー部材３の端部は、図７、図８および図１０に示すように、押え板１２によって押えられている。この押え板１２は、例えば、金属板からなり、カバー部材３の端部を覆って配置された状態で、その両端部がそれぞれ一対のカバー突起部３ａを跨ぐように折り曲げられ、この折り曲げられた一対の折曲部１２ａが、一対のカバー突起部３ａを跨いで、その各外面に対応して配置されるように構成されている。
【００２９】
また、この押え板１２は、図８および図１０に示すように、一対の折曲部１２ａに取付孔１２ｂがそれぞれ設けられ、この各取付孔１２ｂがカバー突起部３ａのピン挿入孔３ｂに対応した状態で、カバー突起部３ａのピン挿入孔３ｂに挿入された連結ピン１０の先端部が各取付孔１２ｂに挿入される。これにより、この押え板１２は、バンド取付部５に取り付けられて、バンド部材２の一対のバンド突起部２ａおよびカバー部材３の一対のカバー突起部３ａを押えるように構成されている。
【００３０】
連結ピン１０は、図８に示すように、例えばばね棒であり、パイプ部１０ａ内の両端部に一対のピン部１０ｂがそれぞれ出没可能に配置され、この状態でパイプ部１０ａ内に設けられたコイルばね（図示せず）のばね力によって一対のピン部１０ｂが押し出されるように構成されている。これにより、連結ピン１０は、パイプ部１０ａがバンド取付部５のピン挿入孔５ｂ、バンド部材２のピン挿入孔２ｂ、およびカバー部材３のピン挿入孔３ｂ内に挿入するように構成されている。
【００３１】
また、この連結ピン１０は、図８に示すように、パイプ部１０ａがバンド取付部５のピン挿入孔５ｂ、バンド部材２のピン挿入孔２ｂ、およびカバー部材３のピン挿入孔３ｂ内に挿入された状態で、パイプ部１０ａの両端に位置する一対のピン部１０ｂをコイルばねのばね力に抗してパイプ部１０ａ内に押し込んで、押え板１２の取付孔１２ｂに対応させることにより、一対のピン部１０ｂがコイルばねのばね力によって押し出されて押え板１２の取付孔１２ｂに挿入するように構成されている。
【００３２】
カバー部材３は、図２〜図７に示すように、機器本体１の裏蓋６の外面を覆うように配置された際に、位置規制部１３によってその配置位置に位置規制されるように構成されている。この位置規制部１３は、カバー部材３の連結ピン１０によってバンド取付部５に取り付けられた端部に対して反対側に位置する、カバー部材３の先端部に設けられた係合突起部１３ａと、バンド部材２の端部の、このカバー部材３の先端部に対応する位置に設けられた係止凹部１３ｂとを備えている。この係合突起部１３ａと係止凹部１３ｂとは、カバー部材３が裏蓋６を覆うように配置された際に互いに係合するように構成されている。
【００３３】
この場合、カバー部材３の係合突起部１３ａとバンド部材２の係止凹部１３ｂとは、図６、図７および図９に示すように、カバー部材３およびバンド部材２がウレタン樹脂やシリコーン樹脂などの軟質の合成樹脂でそれぞれ形成されていることにより、その両方が互いに係合する際にそれぞれ弾性変形して弾力的に係合するように構成されている。
【００３４】
これにより、位置規制部１３は、図３および図７に示すように、機器本体１の裏蓋６の外面を覆うように配置されて裏蓋６を覆った際に、カバー部材３の先端部に設けられた係合突起部１３ａが、これに対応するバンド部材２の端部に設けられた係止凹部１３ｂに弾力的に係合することにより、カバー部材３を、裏蓋６の外面を覆った位置に位置規制して、カバー部材３が不用意に回転して開くことを防ぐことができる。
【００３５】
また、例えばコネクタ７とクレードル８の接続部９とを接続する際に、カバー部材３およびバンド部材２の両方又は一方を弾性変形させて係合突起部１３ａを係止凹部１３ｂから弾力的に離脱させ、両者の係合を解除させて、カバー部材３を下方向に回転させて開いて、裏蓋６の外面を露出させることが容易にできるように構成されている。
【００３６】
次に、このような腕装着型の電子機器の作用について説明する。
まず、この電子機器の機器本体１に一方のバンド部材２およびカバー部材３を取り付ける。この場合には、機器本体１の本体ケース４における一方の端部（図２では左端部）に位置するバンド取付部５における一対の突起部５ａの外部両側にバンド部材２のバンド突起部２ａを配置すると共に、このバンド部材２における一対のバンド突起部２ａの外部両側にカバー部材３の一対のカバー突起部３ａを配置する。
【００３７】
このときには、バンド取付部５の一対の突起部５ａの各ピン挿入孔５ｂ、一対のバンド突起部２ａの各ピン挿入孔２ｂ、および一対のカバー突起部３ａの各ピン挿入孔３ｂを同一軸にする。この状態で、連結ピン１０のパイプ部１０ａを、一対のカバー突起部３ａの各ピン挿入孔３ｂ、一対のバンド突起部２ａの各ピン挿入孔２ｂ、および一対の突起部５ａの各ピン挿入孔５ｂに挿入させ、この状態で連結ピン１０の両端のピン部１０ｂを一対のカバー突起部３ａの各ピン挿入孔３ｂからそれぞれ突出させる。
【００３８】
この状態では、本体ケース４のバンド取付部５における一対の突起部５ａに、バンド部材２の一対のバンド突起部２ａおよびカバー部材３の一対のカバー突起部３ａが、連結ピン１０によって仮止めされる。そして、一対のカバー突起部３ａの各ピン挿入孔３ｂから突出した連結ピン１０の各ピン部１０ｂを、コイルばね（図示せず）のばね力に抗してパイプ部１０ａ内に押し込んで、一対のカバー突起部３ａの各ピン挿入孔３ｂ内に押し込む。
【００３９】
この状態で、押え板１２の各折曲部１２ａを一対のカバー突起部３ａの外部両側に配置して、各折曲部１２ａの各取付孔１２ｂを一対のカバー突起部３ａの各ピン挿入孔３ｂに対応させる。すると、連結ピン１０の両端の各ピン部１０ｂが、コイルばねのばね力によって押し出されて、押え板１２の各折曲部１２ａの各取付孔１２ｂに挿入する。
【００４０】
この状態では、連結ピン１０が、押え板１２の各折曲部１２ａの各取付孔１２ｂから抜け出すことなく、本体ケース４のバンド取付部５における一対の突起部５ａ、バンド部材２の一対のバンド突起部２ａ、カバー部材３の一対のカバー突起部３ａ、および押え板１２の各折曲部１２ａに取り付けられる。これにより、本体ケース４に一方のバンド部材２およびカバー部材３が取り付けられる。
【００４１】
また、カバー部材３が取り付けられた本体ケース４のバンド取付部５と反対側に位置する本体ケース４の他方のバンド取付部５には、他方のバンド部材２のみを取り付ける。この場合には、他方のバンド取付部５における一対の突起部５ａの外部両側にバンド部材２のバンド突起部２ａを配置する。このときには、一対の突起部５ａの各ピン挿入孔５ｂと一対のバンド突起部２ａの各ピン挿入孔２ｂとを同一軸にする。
【００４２】
この状態で、連結ピン１０のパイプ部１０ａを、一対のバンド突起部２ａの各ピン挿入孔２ｂと、バンド取付部５の一対の突起部５ａの各ピン挿入孔５ｂとに、挿入させて、連結ピン１０の両端の各ピン部１０ｂを一対のバンド突起部２ａの各ピン挿入孔２ｂからそれぞれ突出させる。この状態では、バンド取付部５の一対の突起部５ａに、バンド部材２のバンド突起部２ａが、連結ピン１０によって仮止めされる。
【００４３】
そして、一対のバンド突起部２ａの各ピン挿入孔２ｂから突出した連結ピン１０の各ピン部１０ｂを、コイルばねのばね力に抗してパイプ部１０ａ内に押し込んで、一対のバンド突起部２ａの各ピン挿入孔２ｂ内に押し込む。この状態で、押え板１２の各折曲部１２ａを一対のバンド突起部２ａの外部両側に配置して、各折曲部１２ａの各取付孔１２ｂを一対のバンド突起部２ａの各ピン挿入孔２ｂに対応させる。
【００４４】
すると、連結ピン１０の両端の各ピン部１０ｂがコイルばねのばね力によって押し出されて、押え板１２の各折曲部１２ａの各取付孔１２ｂに挿入する。この状態では、連結ピン１０が、押え板１２の各折曲部１２ａの各取付孔１２ｂから抜け出すことなく、バンド取付部５の一対の突起部５ａ、バンド部材２のバンド突起部２ａ、および押え板１２の各折曲部１２ａに取り付けられる。これにより、本体ケース４に他方のバンド部材２が取り付けられる。
【００４５】
次に、この腕装着型の電子機器を腕Ｒに取り付けて使用する場合について説明する。
この場合には、まず、図３に示すように、カバー部材３を機器本体１の裏蓋６の外面を覆うように配置させ、この状態でカバー部材３を介して機器本体１を腕Ｒに配置させて、機器本体１をバンド部材２で取り付ける。すなわち、機器本体１の一方のバンド取付部５に位置する連結ピン１０を中心に、カバー部材３を回転させて、カバー部材３を機器本体１の本体ケース４の裏蓋６の外面を覆うように配置させる。
【００４６】
このときには、カバー部材３の先端部に設けられた位置規制部１３の係合突起部１３ａが、これに対向するバンド部材２の端部に設けられた位置規制部１３の係止凹部１３ｂに弾力的に係合する。これにより、カバー部材３が本体ケース４の裏蓋６の外面を覆った状態に保持されるように位置規制される。この状態で、機器本体１の本体ケース４をバンド部材２によって腕Ｒに取り付ける。このときには、カバー部材３が腕Ｒにフィットした状態で、本体ケース４が腕Ｒに取り付けられる。
【００４７】
すなわち、カバー部材３は、ウレタン樹脂やシリコーン樹脂などの軟質の合成樹脂からなり、本体ケース４の両側に位置するバンド取付部５に対応する両端部の厚みが厚く、本体ケース４の中間部に対応する個所に向けて徐々に厚みが薄くなる形状に形成され、その腕Ｒの装着面に対向する側の対向面が腕Ｒの装着面の曲面形状に概ね沿った湾曲形状に形成されていることにより、カバー部材３の対向面が腕Ｒ装着面に良好に密着する。これにより、カバー部材３が腕Ｒと機器本体１との間の隙間に配置されて、カバー部材３が腕Ｒに良好にフィットした状態で、本体ケース４が腕Ｒに取り付けられる。
【００４８】
この状態で、機器本体１を操作して情報処理等を行った際には、本体ケース４内に組み込まれた機器モジュールの電子部品が発熱する。これに対し、カバー部材３が断熱部１１を有している。このため、本体ケース４内で発生した電子部品の発熱による熱は、カバー部材３の断熱部１１によって断熱されて、本体ケース４から腕Ｒの装着面への熱の伝達が抑制される。これにより、腕Ｒに伝わる熱は断熱部１１がない場合に比べて大きく減少し、腕Ｒの装着面の温度上昇は断熱部１１がない場合に比べて大きく減少する。このため、本体ケース４内の電子部品の発熱に起因して腕Ｒに低温やけどが発生することを良好に防ぐことができる。
【００４９】
また、機器本体１内の熱を放熱する場合には、機器本体１を腕Ｒから取り外し、図５および図６に示すように、カバー部材３を回転させて開いて、機器本体１の裏蓋６の外面を露出させれば良い。この場合には、カバー部材３の先端部に設けられた位置規制部１３の係合突起部１３ａを、これに対向するバンド部材２の端部に設けられた位置規制部１３の係止凹部１３ｂから弾力的に離脱させて、係合突起部１３ａと係止凹部１３ｂとの係合を解除させる。この状態で、カバー部材３を本体ケース４の裏蓋６の下側に回転させて開いて、裏蓋６を露出させる。これにより、機器本体１内の熱が速やかに放熱されて、機器本体１内が冷却される。
【００５０】
さらに、機器本体１をクレードル８に接続してデータの授受、または機器本体１の充電等を行う場合にも、機器本体１を腕Ｒから取り外し、図４に示すように、係合突起部１３ａと係止凹部１３ｂとの係合を解除させて、カバー部材３を回転させて開いて機器本体１の裏蓋６の外面を露出させる。すると、裏蓋６に設けられた開口部６ａからコネクタ７が、裏蓋６から裏面側に露呈する。この状態で、機器本体１の裏蓋６をクレードル８の上面に配置させて、コネクタ７をクレードル８の接続部９に接続する。これにより、機器本体１とクレードル８とが電気的に接続され、その両者の間でのデータの授受、または機器本体１の充電等を行うことができる。
【００５１】
さらに、このように裏蓋６にコネクタ７を露呈する開口部６ａが設けられている構成において、本体ケース４を腕Ｒに取り付けているときには、カバー部材３により裏蓋６の外面が覆われているため、カバー部材３によりコネクタ７に埃や人体の汗等が侵入することを防ぐことができる。また、コネクタ７を使用したいときには、係合突起部１３ａと係止凹部１３ｂとの係合を解除させてカバー部材３を開くことで、簡単にコネクタ７を露呈させることができる。これにより、コネクタ７を外部環境から良好に保護することができるとともに、カバー部材３を備えていても、それによってコネクタ７を使用する際の使い勝手を低下させないようにすることができる。
【００５２】
このように、この腕装着型の電子機器によれば、人体である腕Ｒに対して着脱可能に装着される機器本体１と、この機器本体１に開閉可能に取り付けられ、機器本体１の裏蓋６の外面を開閉可能に覆う断熱部１１を有するカバー部材３と、を備えていることにより、機器本体１の裏蓋６の外面をカバー部材３で開閉することができるので、機器本体１内で発生した熱に起因して腕Ｒに低温やけどが発生することを良好に防ぎ、かつ良好に機器本体１内の熱を良好に放熱させることができる。
【００５３】
すなわち、この腕装着型の電子機器では、機器本体１の裏蓋６の外面をカバー部材３で開閉可能に覆っているので、機器本体１と腕Ｒとの間にカバー部材３を介在させることができ、この状態で機器本体１を腕Ｒに装着すれば、断熱部１１を有するカバー部材３によって、機器本体１内で発生した熱に起因して腕Ｒに低温やけどが発生することを良好に防ぐことができる。また、機器本体１を腕Ｒから取り外してカバー部材３を開くことができるので、機器本体１の裏蓋６の外面を露出させることができ、これにより機器本体１内の熱を速やかに放熱させることができる。
【００５４】
さらに、機器本体１の裏蓋６の外面にクレードル８に接続してデータの授受や機器本体１の充電等を行うためのコネクタ７が設けられている場合に、機器本体１を腕Ｒに取り付けているときには、カバー部材３によりコネクタ７に埃や人体の汗等が侵入することを防いで、コネクタ７を保護することができ、コネクタ７を使用するときは、カバー部材３を開くことで簡単にコネクタ７を露呈させることができて、コネクタ７を外部環境から良好に保護することができるとともに、コネクタ７を使用する際の使い勝手を低下させないようにすることができる。
【００５５】
この場合、機器本体１には、腕Ｒに機器本体１を着脱自在に装着するバンド部材２が軸部材である連結ピン１０によって回転可能に取り付けられているので、機器本体１を腕Ｒに装着する際に、連結ピン１０を中心にバンド部材２を回転させながらバンド取付部材２を湾曲させることができ、これによりバンド部材２を腕Ｒの外周に沿って良好に装着させることができるので、このバンド部材２によって機器本体１を確実にかつ良好に取り付けることができる。
【００５６】
すなわち、機器本体１は、その本体ケース４の両側部に一対のバンド取付部５がそれぞれ設けられ、これら一対のバンド取付部５がそれぞれ一対の突起部５ａを有しており、バンド部材２の端部には、バンド取付部５の一対の突起部５ａの外部両側に配置される一対のバンド突起部２ａが設けられていることにより、機器本体１のバンド取付部５における一対の突起部５ａの外部両側にバンド部材２の一対のバンド突起部２ａを配置させた状態で、一対の突起部５ａの各ピン挿入孔５ｂと一対のバンド突起部２ａの各ピン挿入孔２ｂとに連結ピン１０を連続させて挿入するだけで、簡単に機器本体１にバンド部材２を取り付けることができる。
【００５７】
また、カバー部材３は、機器本体１にバンド部材２を取り付ける連結ピン１０に回転可能に取り付けられていることにより、連結ピン１０を中心にカバー部材３を回転させて機器本体１の裏蓋６の外面を容易に開閉することができると共に、機器本体１にバンド部材２を回転可能に取り付けるための連結ピン１０によって、カバー部材３を機器本体１に取り付けることができるので、カバー部材３を機器本体１に取り付けるための連結ピン１０をバンド部材２と共用することができ、これにより部品点数の削減を図ることができる。
【００５８】
すなわち、カバー部材３の一端部には、機器本体１のバンド部材２における一対のバンド突起部２ａの外部両側に配置される一対のカバー突起部３ａが設けられていることにより、カバー部材３の一対のカバー突起部３ａを、バンド部材２における一対のバンド突起部２ａの外部両側に配置させた状態で、一対のカバー突起部３ａの各ピン挿入孔３ｂ、一対のバンド突起部２ａの各ピン挿入孔２ｂ、および一対の突起部５ａの各ピン挿入孔５ｂに、連結ピン１０を連続させて挿入するだけで、機器本体１にバンド部材２と共にカバー部材３を簡単にかつ容易に取り付けることができる。
【００５９】
また、この腕装着型の電子機器では、カバー部材３が軟質の合成樹脂によって形成されていることにより、機器本体１と腕Ｒとの間にカバー部材３を介在させて、機器本体１を腕Ｒに取り付けた際に、カバー部材３を腕Ｒに弾力的にフィットさせることができる。この場合、カバー部材３は、機器本体１の裏蓋６の外面を覆うように配置された際に、腕Ｒの装着面に対向する側の面が腕Ｒの曲面に概ね沿った湾曲形状に形成されていることにより、カバー部材３を腕Ｒの装着面に良好にフィットさせることができる。
【００６０】
さらに、このカバー部材３は、機器本体１の裏蓋６の外面における両端部、つまり本体ケース４の両側に位置するバンド取付部５に対応する両端部の厚みが厚く、本体ケース４の裏蓋６の外面の中間部に対応する個所に向けて徐々に厚みが薄くなる形状に形成されて、厚み方向の断面が湾曲した形状に形成されていることにより、カバー部材３を腕Ｒに、弾力的にかつ良好にフィットさせることができる。
【００６１】
この場合、このカバー部材３は、断熱部１１の断熱空間部によって機器本体１内で発生した熱を断熱して、機器本体１内で発生した熱が腕Ｒに伝わり難いようにすることができる。すなわち、このカバー部材３の断熱部１１は、カバー部材３に設けられた凹部状の断熱空間部であることにより、カバー部材３を腕Ｒに弾力的にフィットさせた状態で、機器本体１内で熱が発生しても、その熱が腕Ｒに伝わり難いようにすることができ、これにより機器本体１内で発生した熱に起因して腕Ｒに低温やけどが発生することを良好に防ぐことができる。
【００６２】
また、このカバー部材３の断熱部１１である断熱空間部の両側には放熱路１１ａが設けられているので、この放熱路１１ａによって、断熱空間部内の熱が外部に放熱され易くすることができ、これによっても機器本体１内で発生した熱が腕Ｒに伝わり難いようにすることができる。
【００６３】
さらに、このカバー部材３の断熱部１１は、カバー部材３に設けられた凹部状の断熱空間部であることにより、カバー部材３に簡単にかつ容易に断熱部１１を設けることができると共に、凹部状の断熱空間部によってカバー部材３を弾性変形し易くすることができるので、これによってもカバー部材３を腕Ｒに弾力的にフィットさせることができる。
【００６４】
また、この腕装着型の電子機器では、機器本体１の裏蓋６の外面を覆うように配置されたカバー部材３をその位置に位置規制する位置規制部１３を備えていることにより、機器本体１の裏蓋６の外面を覆うようにカバー部材３を配置させて機器本体１の裏蓋６の外面を覆った際に、位置規制部１３によってカバー部材３をその位置に位置規制することができる。これにより機器本体１を腕Ｒに取り付ける際に、カバー部材３が不用意に回転して垂れ下がることがないので、機器本体１を腕Ｒに容易にかつ良好に取り付けることができる。
【００６５】
すなわち、この位置規制部１３は、連結ピン１０によってバンド取付部５に取り付けられた端部に対して反対側に位置するカバー部材３の先端部に設けられた係合突起部１３ａと、カバー部材３の先端部に対応するバンド部材２の端部に設けられた係止凹部１３ｂとを備えており、カバー部材３の先端部に設けられた係合突起部１３ａを、これに対応するバンド部材２の端部に設けられた係止凹部１３ｂに係合させることができる。これによりカバー部材３を良好に容易に位置規制して、カバー部材３が不用意に回転して開くことを防ぐことができる。
【００６６】
この場合、カバー部材３とバンド部材２とは、ウレタン樹脂やシリコーン樹脂などの軟質の合成樹脂でそれぞれ形成されていることにより、係合突起部１３ａと係止凹部１３ｂとが係合する際にそれぞれ弾性変形して弾力的に係合させることができる。このため、カバー部材３の先端部に設けられた係合突起部１３ａを、これに対応するバンド部材２の端部に設けられた係止凹部１３ｂに弾力的に係合させることができると共に、その両者の係合を簡単にかつ容易に解除することができるので、カバー部材３を開閉する際の使い勝手を良くすることができる。
【００６７】
（第２実施形態）
次に、図１１〜図１８を参照して、この発明を腕装着型の電子機器に適用した第２実施形態について説明する。なお、図１〜図１０に示された第１実施形態と同一部分には同一符号を付して説明する。
この腕装着型の電子機器は、図１１〜図１４に示すように、機器本体１の裏蓋６の外面を開閉可能に覆うカバー部材２０を２つのカバー片２１、２２に分割した構成であり、これ以外は第１実施形態とほぼ同じ構成になっている。
【００６８】
すなわち、２つのカバー片２１、２２は、図１１〜図１４に示すように、それぞれ機器本体１の裏蓋６の外面のほぼ半分の大きさ、つまり本体ケース４の裏蓋６の外面に設けられた裏蓋６の外面のほぼ半分の大きさに形成され、カバー片２１とカバー片２２とによって裏蓋６の外面のほぼ全体を覆うように構成されている。また、２つのカバー片２１、２２のそれぞれの裏蓋６に対向する側の面には断熱部２３が設けられている。これら２つのカバー片２１、２２も、第１実施形態と同様、ウレタン樹脂またはシリコーン樹脂などの軟質の合成樹脂で形成されている。なお、バンド部材２がウレタン樹脂で形成されている場合、カバー部材３も、同じウレタン樹脂で形成されていることが望ましい。
【００６９】
この場合、２つのカバー片２１、２２は、図１４、図１６および図１７に示すように、本体ケース４の両側に位置する一対のバンド取付部５にそれぞれ対応する側の各端部の厚みが厚く、裏蓋６の外面の中間部に対応する各先端部に向うに従って徐々に厚みが薄く、裏蓋６に対応する側の面の断熱部２３を除く部分が平坦で、腕Ｒの装着面に対向する側の面（対向面）が湾曲した形状に形成されている。
【００７０】
これにより、２つのカバー片２１、２２は、図１１および図１７に示すように、裏蓋６を覆うように配置された際に、２つのカバー片２１、２２全体が一対のバンド取付部５側の各端部側から裏蓋６の外面の中間部に向けて徐々に厚みが薄くなる形状に形成されている。すなわち、２つのカバー片２１、２２は、腕Ｒと機器本体１との間に配置された際に、腕Ｒの装着面に対向する側の対向面が腕Ｒの曲面に概ね沿った湾曲形状をなすように構成されている。
【００７１】
また、これら２つのカバー片２１、２２の各断熱部２３は、図１６および図１７に示すように、各カバー片２１、２２の裏蓋６に対向する側の面に設けられた凹部状の断熱空間部である。この断熱空間部内には空気層が存在し、この空気層が熱の伝達を妨げる断熱効果をもたらす。これら各断熱空間部の深さは各カバー片２１、２２の厚みに対応しており、本体ケース４の両側に位置する一対のバンド取付部５側が深く、裏蓋の中間部に対応する各先端部側に向うに従って次第に浅くなるように形成されている。
【００７２】
この場合にも、各断熱部２３である各断熱空間部の両側部には、図１６に示すように、断熱空間部内の熱を外部に放熱するための放熱路２３ａがそれぞれ設けられている。なお、この放熱路２３ａは、必ずしも断熱空間部の両側部に設けられている必要はなく、片側のみに設けられた構成であっても良い。
【００７３】
また、２つのカバー片２１、２２は、図１１〜図１４、図１７に示すように、その各一端部が機器本体１の一対のバンド取付部５にそれぞれバンド部材２と共に連結ピン１０を介して上下方向に回転可能に取り付けられている。２つのカバー片２１、２２は、図１８に示すように、その各一端部に一対のカバー突起部２１ａ、２２ａがそれぞれ設けられている。
【００７４】
これら一対のカバー突起部２１ａ、２２ａは、図１８に示すように、バンド部材２における一対のバンド突起部２ａの外部両側にそれぞれ配置されるように構成されている。また、これら一対のカバー突起部２１ａ、２２ａには、各ピン挿入孔２１ｂ、２２ｂが、バンド部材２の一対のバンド突起部２ａの各ピン挿入孔２ｂにそれぞれ対応して設けられている。
【００７５】
これにより、２つのカバー片２１、２２は、図１８に示すように、一対のカバー突起部２１ａ、２２ａが各バンド部材２における一対のバンド突起部２ａの外部両側にそれぞれ配置されて、一対のカバー突起部２１ａ、２２ａの各ピン挿入孔２１ｂ、２２ｂが、各バンド部材２の一対のバンド突起部２ａの各ピン挿入孔２ｂおよび各バンド取付部５における一対の突起部５ａの各ピン挿入孔５ｂと同一軸となるように構成されている。
【００７６】
また、２つのカバー片２１、２２は、図１７および図１８に示すように、一対のカバー突起部２１ａ、２２ａの各ピン挿入孔２１ｂ、２２ｂが、各バンド部材２における一対のバンド突起部２ａの各ピン挿入孔２ｂと同一軸とされた状態で、カバー突起部２１ａ、２２ａの各ピン挿入孔２１ｂ、２２ｂ、バンド部材２の各ピン挿入孔２ｂ、およびバンド取付部５の各ピン挿入孔５ｂに、連結ピン１０が挿入される。これにより、２つのカバー片２１、２２は、各バンド部材２と共に各バンド取付部５にそれぞれ上下方向に回転可能に取り付けられるように構成されている。
【００７７】
この場合、一対のバンド取付部５に位置する各カバー片２１、２２の各端部は、図１７および図１８に示すように、押え板１２によってそれぞれ押えられている。この押え板１２は、第１実施形態と同様、例えば金属板からなり、各カバー片２１、２２の各端部に配置された状態で、その両端部がそれぞれ一対のカバー突起部３ａを跨ぐように折り曲げられ、この折り曲げられた一対の折曲部１２ａが、一対のカバー突起部３ａを跨いで、その外面に対応して配置されるように構成されている。
【００７８】
また、この押え板１２は、第１実施形態と同様、一対の折曲部１２ａに取付孔１２ｂがそれぞれ設けられ、この各取付孔１２ｂがカバー突起部２１ａ、２２ａのピン挿入孔２１ｂ、２２ｂに対応し、この状態でカバー突起部２１ａ、２２ａのピン挿入孔２１ｂ、２２ｂに挿入された連結ピン１０の先端部がそれぞれ挿入し、これにより各バンド取付部５に取り付けられて、各バンド部材２の一対のバンド突起部２ａおよびカバー片２１、２２の一対のカバー突起部２１ａ、２２ａをそれぞれ押えるように構成されている。
【００７９】
２つのカバー片２１、２２は、図１２、図１４および図１５に示すように、機器本体１の裏蓋６の外面を覆うように配置された際に、位置規制部２４によってその配置位置に位置規制されるように構成されている。この位置規制部２４は、カバー片２１、２２のうち、一方のカバー片２１の先端部に設けられた係合突起部２５と、他方のカバー片２２の先端部に設けられて一方のカバー片２１の係合突起部２５が係合する係止凹部２６とを備えている。
【００８０】
この場合、一方のカバー片２１に設けられた係合突起部２５の両側部には、図１５に示すように、凹み形状を有し、カバー片２１の厚さ方向の長さが第１の値を有し、カバー部片２１の厚さ方向に直交する方向の長さが第２の値を有し、第２の値が第１の値より大きい長凹部２５ａが設けられている。また、他方のカバー片２２に設けられた係止凹部２６内における互いに対向する両端部には、係合突起部２５の長凹部２５ａに係合するように突起したピン状の凸部２６ａが設けられている。
【００８１】
また、一方のカバー片２１と他方のカバー片２２とは、図１５に示すように、それぞれウレタン樹脂やシリコーン樹脂などの軟質の合成樹脂で形成されている。これにより、一方のカバー片２１の係合突起部２５と他方のカバー片２２の係止凹部２６とが係合する際に、それぞれ弾性変形して弾力的に係合するように構成されている。
【００８２】
これにより、位置規制部２４は、図１２、図１４および図１５に示すように、２つのカバー片２１、２２が機器本体１の裏蓋６の外面を覆うように配置されて裏蓋６を覆った際に、一方のカバー片２１の先端部に設けられた係合突起部２５が、これに対応する他方のカバー片２２の先端部に設けられた係止凹部２６に係合して、係合突起部２５の各長凹部２５ａに係止凹部２６の各凸部２６ａが弾力的に係合することにより、２つのカバー片２１、２２を位置規制して、各カバー片２１、２２が不用意に分離して回転して開くことを防ぐことができる。
【００８３】
また、例えばコネクタ７とクレードル８の接続部９とを接続する際に、カバー片２１、２２の両方又は一方を弾性変形させて係止凹部２６の各凸部２６ａを係合突起部２５の各長凹部２５ａから弾力的に離脱させ、両者の係合を解除させて、カバー片２１、２２を下方向に回転させて開いて、裏蓋６の外面を露出させることができるように構成されている。
【００８４】
次に、この腕装着型の電子機器を腕Ｒに取り付けて使用する場合について説明する。
この場合には、まず、図１２に示すように、カバー部材２０の２つのカバー片２１、２２を機器本体１の裏蓋６の外面を覆うように配置させ、この状態でカバー部材２０を介して機器本体１を腕Ｒに配置させて、機器本体１をバンド部材２によって腕Ｒに取り付ける。すなわち、機器本体１の一対のバンド取付部５に位置する各連結ピン１０を中心に、２つのカバー片２１、２２を回転させて、２つのカバー片２１、２２を機器本体１の本体ケース４の裏蓋６の外面を覆うように配置させる。
【００８５】
このときには、２つのカバー片２１、２２の各先端部に設けられた位置規制部２４の係合突起部２５が、これに対向する係止凹部２６に係合して、係合突起部２５の各長凹部２５ａに係止凹部２６の各凸部２６ａが弾力的に係合するこれにより、２つのカバー片２１、２２が本体ケース４の裏蓋６の外面を覆った状態に保持されるように位置規制される。この状態で、機器本体１の本体ケース４をバンド部材２によって腕Ｒに取り付けた際には、カバー部材２０の腕Ｒの装着面に対向する側の対向面が腕Ｒの装着面に良好に密着して、腕Ｒに良好にフィットした状態で、本体ケース４が腕Ｒに取り付けられる。
【００８６】
すなわち、カバー部材２０の２つのカバー片２１、２２は、ウレタン樹脂やシリコーン樹脂などの軟質の合成樹脂からなり、本体ケース４の両側に位置する一対のバンド取付部５にそれぞれ対応する各端部の厚みが厚く、裏蓋６の外面の中間部に対応する各先端部側向けて徐々に厚みが薄くなる形状に形成され、カバー部材２０全体の対向面が腕Ｒの装着面の曲面形状に概ね沿った湾曲形状に形成されていることにより、カバー部材２０全体の対向面が腕Ｒの装着面に良好に密着する。これにより、２つのカバー片２１、２２が腕Ｒに良好にフィットした状態で、本体ケース４が腕Ｒに取り付けられる。
【００８７】
また、本実施形態においても、第１実施形態の場合と同様に、機器本体１が腕Ｒに取り付けられている状態で機器本体１を使用しているときに腕Ｒに低温やけどが発生することを良好に防ぐことができる。すなわち、機器本体１を操作して情報処理を行った際には、本体ケース４内に組み込まれた機器モジュールの電子部品が発熱するが、その熱がカバー部材２０の２つのカバー片２１、２２の各断熱部２３によって断熱されて、本体ケース４から腕Ｒの装着面への熱の伝達が抑制される。このため、本体ケース４内の電子部品の発熱に起因して腕Ｒに低温やけどが発生することを良好に防ぐことができる。
【００８８】
また、機器本体１内の熱を放熱する場合には、機器本体１を腕Ｒから取り外し、図１４に示すように、２つのカバー片２１、２２を回転させて開いて、機器本体１の裏蓋６の外面を露出させれば良い。この場合には、２つのカバー片２１、２２の各先端部に設けられた位置規制部２４の係合突起部２５の長凹部２５ａから、これに対向する係止凹部２６の凸部２６ａを弾力的に離脱させて、係合突起部２５と係止凹部２６との係合を解除させる。この状態で、各連結ピン１０を中心に２つのカバー片２１、２２を本体ケース４の裏蓋６の下側に向けて回転させて裏蓋６を開放させる。これにより、機器本体内の熱が速やかに放熱されて、機器本体１内が冷却される。
【００８９】
さらに、機器本体１をクレードル８に接続してデータの授受または機器本体１の充電を行う場合にも、機器本体１を腕Ｒから取り外し、図１３および図１４に示すように、係合突起部２５と係止凹部２６との係合を解除させて、２つのカバー片２１、２２を回転させて開いて、機器本体１の裏蓋６の外面を露出させる。すると、裏蓋６に設けられた開口部６ａからコネクタ７が、裏蓋６から裏面側に露呈する。この状態で、第１実施形態と同様、機器本体１の裏蓋６をクレードル８の上面に配置させて、コネクタ７をクレードル８の接続部９に接続する。これにより、機器本体１とクレードル８とが電気的に接続され、その両者の間でデータの授受または機器本体１の充電等を行うことができる。
【００９０】
さらに、本実施形態においても、このように裏蓋６にコネクタ７を露呈する開口部６ａが設けられている場合において、本体ケース４を腕Ｒに取り付けているときには、２つのカバー片２１、２２により裏蓋６の外面が覆われているため、カバー片２１、２２によりコネクタ７に埃や人体の汗等が侵入することを防ぐことができ、また、コネクタ７を使用したいときには、係合突起部２５と係止凹部２６との係合を解除させてカバー部材３を開くことで、簡単にコネクタ７を露呈させることができる。これにより、コネクタ７を外部環境から良好に保護することができるとともに、カバー片２１、２２によってコネクタ７を使用する際の使い勝手を低下させないようにすることができる。
【００９１】
このように、この腕装着型の電子機器によれば、第１実施形態と同様の作用効果があるほか、カバー部材２０が、２つのカバー片２１、２２に分割され、それぞれ機器本体１に各バンド部材２と共に各連結ピン１０によってそれぞれ回転可能に取り付けられていることにより、第１実施形態よりも、カバー部材２０の開閉操作性が良い。
【００９２】
すなわち、この腕装着型の電子機器では、２つのカバー片２１、２２を閉じる方向に回転させて、機器本体１の裏蓋６の外面を覆うように配置させることができるので、２つのカバー片２１、２２によって機器本体１の裏蓋６の外面を簡単にかつ容易に覆うことができ、また２つのカバー片２１、２２を開く方向に回転させることにより、機器本体１の裏蓋６の外面を簡単にかつ容易に露出させることができる。
【００９３】
この場合にも、２つのカバー片２１、２２は、軟質の合成樹脂によって形成されていることにより、機器本体１と腕Ｒとの間に介在されて、機器本体１を腕Ｒに取り付けた際に、２つのカバー片２１、２２を腕Ｒに弾力的にフィットさせることができる。また、これら２つのカバー片２１、２２は、機器本体１の裏蓋６の外面を覆うように配置された際に、腕Ｒの装着面に対向する側の対向面が腕Ｒの曲面に概ね沿った湾曲形状に形成されていることにより、カバー部材３を腕Ｒに良好にフィットさせることができる。
【００９４】
また、これら２つのカバー片２１、２２には、それぞれ各断熱部２３が設けられているので、これら各断熱部２３によって機器本体１内で発生した熱を断熱して、機器本体１内で発生した熱が腕Ｒに伝わり難いようにすることができる。さらに、これら各断熱部１１は、カバー部材３に設けられた凹部状の断熱空間部であることにより、２つのカバー片２１、２２を弾性変形し易くすることができて、２つのカバー片２１、２２を腕Ｒに弾力的にフィットさせた状態で、機器本体１内で発生した熱を良好に断熱して、腕Ｒに低温やけどが発生することを良好に防ぐことができる。
【００９５】
また、この腕装着型の電子機器は、機器本体１の裏蓋６の外面を覆うように配置されたカバー部材２０の２つのカバー片２１、２２を位置規制する位置規制部２４を備えていることにより、機器本体１の裏蓋６の外面を覆うように２つのカバー片２１、２２を配置させた際に、位置規制部２４によって機器本体１の裏蓋６の外面を覆った状態で位置規制することができ、これにより機器本体１を腕Ｒに取り付ける際に、２つのカバー片２１、２２が不用意に垂れ下がることがないので、機器本体１を腕Ｒに容易にかつ良好に取り付けることができる。
【００９６】
すなわち、この位置規制部２４は、一方のカバー片２１の先端部に設けられた係合突起部２５と、他方のカバー片２２の先端部に設けられた係止凹部２６とを備え、係合突起部２５の両側部に長凹部２５ａが設けられ、係止凹部２６内の対向面に凸部２６ａが設けられているので、一方のカバー片２１の係合突起部２５を、これに対応する他方のカバー片２２の係止凹部２６に係合させて、係合突起部２５の長凹部２５ａに係止凹部２６内の対向面の凸部２６ａを係合させることにより、２つのカバー片２１、２２を良好に位置規制して、カバー部材３が不用意に回転して開くことを防ぐことができる。
【００９７】
この場合、２つのカバー片２１、２２は、ウレタン樹脂などの軟質の合成樹脂でそれぞれ形成されていることにより、その両方が係合する際にそれぞれ弾性変形して弾力的に係合させることができる。これにより、一方のカバー片２１の係合突起部２５を、これに対応する他方のカバー片２２の係止凹部２６に係合させて、係合突起部２５の長凹部２５ａに係止凹部２６内の対向面の凸部２６ａを弾力的に係合させることができると共に、その両者の係合を簡単にかつ容易に解除することができるので、カバー片２１、２２を開閉する際の使い勝手を良くすることができる。
【００９８】
なお、上述した第１、第２の各実施形態では、カバー部材３、２０の各断熱部１１、２３が凹部状の断熱空間部に形成されている場合について述べたが、必ずしも凹部状の断熱空間部である必要はなく、例えば図１９（ａ）および図１９（ｂ）に示す変形例のように、機器本体１の裏蓋６の外面に対向する側のカバー部材３、２０の一面に複数の突起部３１を一体に形成し、これら複数の突起部３１によってカバー部材３、２０と機器本体１の裏蓋６の外面との間に隙間を設け、この隙間によって空気層である断熱部３０を形成した構成であっても良い。
【００９９】
また、上述した第１、第２の各実施形態では、カバー部材３、２０を機器本体１にバンド部材２と共に連結ピン１０によって取り付けた場合について述べたが、これに限らず、例えば図２０（ａ）および図２０（ｂ）に示す変形例のように、機器本体１にバンド部材２を第１連結ピン１０ａによって取り付けているとともに、カバー部材３、２０を、この第１連結ピンと異なる位置に設けた第２連結ピン１０ｂによって回転可能に取り付けた構成であっても良い。
【０１００】
また、上述した第１、第２の各実施形態では、機器本体１にバンド部材２とカバー部材３、２０とを回転可能に取り付ける連結ピン１０として、ばね棒を用いた場合について述べたが、必ずしもばね棒である必要はなく、例えば、ねじ部材であっても良く、また単純な棒状部材であっても良い。
【０１０１】
さらに、上述した第１、第２の各実施形態では、本発明を腕Ｒに装着して使用する腕装着型の電子機器に適用した場合について述べたが、装着する箇所は腕Ｒに限るものではなく、例えば指、足、胴などに装着して使用する電子機器であってもよい。また、このような電子機器としては、例えば脈拍計、血圧計、歩数計、携帯情報端末機などがあり、これらの電子機器にも本発明を良好に適用することができる。
【０１０２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０３】
（付記）
請求項１に記載の発明は、人体に対して着脱可能に装着される機器本体と、前記機器本体に取り付けられたカバー部材と、を備え、
前記機器本体は内部に電子部品が設けられた筺体を有し、前記筺体の外面は、前記機器本体が人体に装着されたときに人体に対向する側となる裏面を有し、前記カバー部材は、樹脂部材により形成され、一端が前記筺体に支持されて前記裏面に対して回転して、前記裏面に対して閉じて該裏面を覆っている閉状態と、前記裏面対して開いて該裏面を外部に露出している開状態と、に移動可能に設けられ、前記閉状態で前記カバー部材が前記裏面を覆っているときに、前記裏面と前記カバー部材の前記裏面に対向する側の面との間に空気層が形成され、前記カバー部材が前記開状態に設定されているとき、前記電子機器の発熱による熱が前記裏面から放熱されることを特徴とする人体装着型電子機器である。
【０１０４】
請求項２に記載の発明は、請求項１に記載の人体装着型電子機器において、前記機器本体は、前記裏面に、外部機器と電気的に接続される接続端子部を有し、前記カバー部材は、前記閉状態において前記接続端子部を覆い、前記開状態において前記接続端子部を露出することを特徴とする人体装着型電子機器である。
【０１０５】
請求項３に記載の発明は、請求項１または請求項２に記載の人体装着型電子機器において、前記カバー部材は、前記閉状態で前記裏面を覆っているときに前記裏面に対向する側となる面に設けられた凹部状の断熱空間部を有し、前記空気層は、前記閉状態で前記カバー部材が前記裏面を覆っているときに、前記断熱空間部内に形成されることを特徴とする人体装着型電子機器である。
【０１０６】
請求項４に記載の発明は、請求項１または請求項２に記載の人体装着型電子機器において、前記カバー部材は、前記閉状態で前記カバー部材が前記裏面を覆っているときに前記裏面に対向する側となる面に突出して設けられた突起部を有し、前記空気層は、前記閉状態で前記カバー部材が前記裏面を覆っているときに、前記突起部を介して対向する前記裏面と前記カバー部材の前記裏面に対向する側の面との間の空間内に形成されることを特徴とする人体装着型電子機器である。
【０１０７】
請求項５に記載の発明は、請求項１乃至請求項４のいずれかに記載の人体装着型電子機器において、前記カバー部材を形成している軟質の合成樹脂は、ウレタン樹脂またはシリコーン樹脂であることを特徴とする人体装着型電子機器である。
【０１０８】
請求項６に記載の発明は、請求項１乃至請求項５のいずれかに記載の人体装着型電子機器において、前記カバー部材は、前記閉状態で、前記機器本体が人体に装着されるときに人体に対向する側となる対向面が、当該機器本体を装着する人体の装着面の形状に対応した湾曲形状をなしていることを特徴とする人体装着型電子機器である。
【０１０９】
請求項７に記載の発明は、請求項６に記載の人体装着型電子機器において、前記裏面の前記閉状態で前記カバー部材で覆われる領域は平坦であり、前記カバー部材は、前記裏面の一の方向に沿った両端側の厚みが厚く、前記裏面の中間部に向うに従って、前記一の方向に沿って徐々に厚みが薄くなる形状に形成されていることを特徴とする人体装着型電子機器である。
【０１１０】
請求項８に記載の発明は、請求項１乃至請求項７のいずれかに記載の人体装着型電子機器において、前記カバー部材を前記閉状態に位置規制する位置規制部を備えていることを特徴とする人体装着型電子機器である。
【０１１１】
請求項９に記載の発明は、請求項１乃至請求項８のいずれかに記載の人体装着型電子機器において、前記カバー部材は、前記機器本体の前記筐体に軸部材を介して回転可能に取り付けられていることを特徴とする人体装着型電子機器である。
【０１１２】
請求項１０に記載の発明は、請求項９に記載の人体装着型電子機器において、前記カバー部材は、２つのカバー片に分割され、該各カバー片は、前記機器本体に前記軸部材を介して回転可能に取り付けられていることを特徴とする人体装着型電子機器である。
【０１１３】
請求項１１に記載の発明は、請求項９または請求項１０に記載の人体装着型電子機器において、前記機器本体を前記人体に着脱自在に装着するバンド部材を備え、前記バンド部材は、前記軸部材に回転可能に取り付けられていることを特徴とする人体装着型電子機器である。
【符号の説明】
【０１１４】
１  機器本体
２  バンド部材
３、２０  カバー部材
４  本体ケース
５  バンド取付部
６  裏蓋
７  コネクタ
８  クレードル
９  接続部
１０  連結ピン
１１、２３  断熱部
１１ａ、２３ａ  放熱路
１２  押え板
１３、２４  位置規制部
２１、２２  カバー片
２５  係合突起部
２５ａ  長凹部
２６  係合凹部
２６ａ  凸部
Ｒ  腕
【図１】
2014238335.tif 000003
【図２】
2014238335.tif 000004
【図３】
2014238335.tif 000005
【図４】
2014238335.tif 000006
【図５】
2014238335.tif 000007
【図６】
2014238335.tif 000008
【図７】
2014238335.tif 000009
【図８】
2014238335.tif 000010
【図９】
2014238335.tif 000011
【図１０】
2014238335.tif 000012
【図１１】
2014238335.tif 000013
【図１２】
2014238335.tif 000014
【図１３】
2014238335.tif 000015
【図１４】
2014238335.tif 000016
【図１５】
2014238335.tif 000017
【図１６】
2014238335.tif 000018
【図１７】
2014238335.tif 000019
【図１８】
2014238335.tif 000020
【図１９】
2014238335.tif 000021
【図２０】
2014238335.tif 000022